(57)【要約】【課題】本発明は、ＬＥＤと照度センサとが近接して設けられていても、照度に基づいてバックライト輝度が適切に制御される電子機器を提供する。【解決手段】データを表示する表示手段と、ＬＥＤの点灯状態を制御する点灯制御手段と、ＬＥＤが消灯状態にある間、周囲の照度を検出する検出手段（Ｓ１０５）と、検出された照度に基づいて表示手段の最適な輝度を算出して表示手段に設定する設定手段（Ｓ１０７）と、を備えた。【選択図】  図４
2010166260.tif 000002
【特許請求の範囲】
【請求項１】
データを表示する表示手段と、
ＬＥＤの点灯状態を制御する点灯制御手段と、
前記点灯制御手段によりＬＥＤが消灯状態にある間、周囲の照度を検出する検出手段と、
前記検出手段により検出された照度に基づいて前記表示手段の最適な輝度を算出して前記表示手段に設定する設定手段と、
を備えたことを特徴とする電子機器。
【請求項２】
前記設定手段は、前記点灯制御手段によりＬＥＤが消灯状態から点灯状態に遷移する際、直前の点灯状態が所定時間以上継続していない場合、前記表示手段に対して、この遷移の直前に設定されていた輝度を継続して設定することを特徴とする請求項１記載の電子機器。
【請求項３】
前記設定手段は、前記点灯制御手段によりＬＥＤの点灯状態が所定時間以上継続していた場合、前記表示手段の輝度を所定の基準値に設定することを特徴とする請求項１記載の電子機器。
【請求項４】
前記設定手段は、前記表示手段の輝度を前記所定の基準値に設定する際、現在の表示装置の輝度から前記所定の基準値までを複数回に分けて段階的に、輝度を設定することを特徴とする請求項３記載の電子機器。
【請求項５】
前記検出手段は、前記点灯制御手段によりＬＥＤが点灯状態から消灯状態に遷移する際、直前の点灯状態が所定時間以上継続していた場合、周囲の輝度を検出することを特徴とする請求項１記載の電子機器。
【請求項６】
前記設定手段は、前記点灯制御手段によりＬＥＤが点灯状態から消灯状態に遷移する際、直前の点灯状態が所定時間以上継続していた場合、前記検出手段により検出された照度に基づいて算出された前記表示手段の輝度を設定する際、ＬＥＤが消灯状態に遷移する直前の前記表示装置の輝度から前記検出手段により検出された照度に基づいて算出された前記表示手段の最適な輝度までを複数回に分けて、段階的に輝度を設定することを特徴とする請求項５記載の電子機器。
【請求項７】
前記検出手段は、前記点灯制御手段によりＬＥＤが点灯状態から消灯状態に遷移する際、直前の点灯状態が所定時間以上継続していた場合、前記設定手段により、前記表示装置の輝度が前記検出手段により検出された照度に基づいて算出された前記表示手段の最適な輝度に設定された後、前記点灯手段によりＬＥＤが消灯状態から点灯状態に遷移するまでの間、周囲の照度を検出することを特徴とする請求項６記載の電子機器。
【発明の詳細な説明】
【技術分野】
【０００１】
本発明は、周囲の照度に基づいてディスプレイの輝度を制御するための照度センサを備え、ＬＥＤのＯＮ／ＯＦＦ状態に基づいて照度センサによる照度測定を制御する電子機器に関する。
【背景技術】
【０００２】
近年、携帯電話機や情報端末等の電子機器において、大画面化やプロセッサ動作周波数の向上により消費電力が高くなっていく傾向にある。そのため、周囲の明るさを照度センサで測定し、必要最低限のバックライト輝度で表示装置を使用するように制御する電子機器が増えてきている。
【０００３】
例えば特許文献１によると、周囲を照明するライトのＯＮ／ＯＦＦ状態による影響を最小限にして、操作部や表示部の輝度レベルを最適地に設定して消費電力を抑える携帯端末装置が提案されている。この携帯端末装置は、通常状態ではフォトセンサが検出する周囲照度レベルに応じて、操作部用バックライトの輝度レベルを制御するが、ライトが点灯している場合には、その照明によるフォトセンサの検出レベルへの影響を考慮して、フォトセンサの検出レベルに無関係に操作部用バックライトを点灯するものである。
【先行技術文献】
【特許文献】
【０００４】
【特許文献１】特開２００５−２３６５２４号公報
【発明の概要】
【発明が解決しようとする課題】
【０００５】
携帯電話機等の電子機器において、充電中である旨、不在着信がある旨、未読メールがある旨等を通知するためのＬＥＤを備えていることが一般的である。ところが、このＬＥＤと照度センサとが近接して設けられている場合には、照度センサがＬＥＤの光を検知してしまい、適切にバックライト輝度が制御されないという問題がある。
【０００６】
本発明は、上記課題を鑑みてなされてものであり、ＬＥＤと照度センサとが近接して設けられていても、照度に基づいてバックライト輝度が適切に制御される電子機器を提供することを目的とする。
【課題を解決するための手段】
【０００７】
上記課題を解決するために、本発明に係る電子機器は、データを表示する表示手段と、ＬＥＤの点灯状態を制御する点灯制御手段と、前記点灯制御手段によりＬＥＤが消灯状態にある間、周囲の照度を検出する検出手段と、前記検出手段により検出された照度に基づいて前記表示手段の最適な輝度を算出して前記表示手段に設定する設定手段と、を備えたことを特徴とする。
【発明の効果】
【０００８】
本発明に係る電子機器によると、ＬＥＤと照度センサとが近接して設けられていても、照度に基づいてバックライト輝度を適切に制御することが可能となる。
【図面の簡単な説明】
【０００９】
【図１】（Ａ）は、第１実施形態の電子機器（携帯電話機）の閉じた状態を示す斜視図、（Ｂ）は、第１実施形態の電子機器（携帯電話機）の開いた状態を示す斜視図。
【図２】第１実施形態の電子機器（携帯電話機）の機能ブロック図。
【図３】第１実施形態の電子機器（携帯電話機）におけるＬＥＤのＯＮ／ＯＦＦ状態と照度センサのＯＮ／ＯＦＦ状態との関係を示す図。
【図４】第１実施形態の電子機器（携帯電話機）において、ＬＥＤが点滅状態であった場合の照度センサ制御処理の手順を示すフローチャート。
【図５】第１実施形態の電子機器（携帯電話機）において、ＬＥＤが点滅状態であった場合のＬＥＤのＯＮ／ＯＦＦ状態とタッチスクリーンの輝度との関係を示す図。
【図６】第１実施形態の電子機器（携帯電話機）において、ＬＥＤが長時間点灯状態であった場合の照度センサ制御処理の手順を示すフローチャート。
【図７】第１実施形態の電子機器（携帯電話機）において、ＬＥＤが長時間点灯状態であった場合のＬＥＤのＯＮ／ＯＦＦ状態とタッチスクリーンの輝度との関係を示す図。
【図８】第２実施形態の電子機器（携帯電話機）において、ＬＥＤが長時間点灯状態であった場合の照度センサ制御処理の手順を示すフローチャート。
【図９】第２実施形態の電子機器（携帯電話機）において、ＬＥＤが長時間点灯状態であった場合のＬＥＤのＯＮ／ＯＦＦ状態とタッチスクリーンの輝度との関係を示す図。
【発明を実施するための形態】
【００１０】
〔第１実施形態〕
本発明に係る電子機器の実施形態について、添付図面を参照しながら説明する。本発明に係る電子機器として、複数の筐体が相互にスライド自在に結合されてなる開閉自在の携帯電話機１を例にあげて説明する。
【００１１】
図１（Ａ）は、携帯電話機１の閉じた状態を示す斜視図、図１（Ｂ）は、携帯電話機１の開いた状態を示す斜視図である。携帯電話機１は、図１（Ａ）及び図１（Ｂ）に示すように、矩形の板状の上筐体１０と、この上筐体１０とほぼ同形状をした下筐体１１とが、閉じた状態で、相互に一面を覆うように積層されることにより形成されている。これらの上筐体１０及び下筐体１１は、所定方向（例えば長手方向）に相互に所定長さだけスライド可能なように結合されていて、上筐体１０を下筐体１１に対してスライドさせることにより、閉じた状態から開いた状態に、あるいは開いた状態から閉じた状態に変形する。
【００１２】
上筐体１０の外面（下筐体１１に対面しない側の面）には、文字や画像等からなる画面を表示するとともに、指やペン等の接触を検知することにより指示を入力するタッチスクリーン１２、音声を出力するためのスピーカ１３が設けられている。タッチスクリーン１２は、文字や画像等からなる画面を表示する表示機能、及び、指や専用のペンが画面に触れることで、その触れた位置に基づいた情報が入力される入力機能の双方の機能を備えたディスプレイである。タッチスクリーン１２は、例えば、ディスプレイの上面に表面の接触を検知するための素子が複数配置され、さらにその上に透明なスクリーンが積層されることにより形成されている。また、タッチスクリーン１２上での接触を検知する方法は、圧力の変化を感知する感圧式であっても、静電気による電気信号を感知する静電式であっても、その他の方法であっても良い。
【００１３】
また、上筐体１０の外面には、点灯することにより充電中である旨、不在着信がある旨、未読メールがある旨等を通知するＬＥＤ（Ｌｉｇｈｔ  Ｅｍｉｔｔｉｎｇ  Ｄｉｏｄｅ）１４と、周囲の照度を検知する照度センサ１５が設けられている。照度センサ１５は、例えばフォトトランジスタを使用したものや，フォトダイオードを使用したもの、または、フォトダイオードにアンプ回路を付加したもの等である。
【００１４】
これらのタッチスクリーン１２、スピーカ１３、ＬＥＤ１４、照度センサ１５は、携帯電話機１が閉じた状態であっても開いた状態であっても外部に露出するように設けられている。よって、携帯電話機１が閉じた状態であっても開いた状態であっても、ユーザはタッチスクリーン１２の画面を視認したり指示を入力したりすることができ、また、照度センサ１５は照度を検知することができる。
【００１５】
下筐体１１の内面（上筐体１０に対面する側の面）には、音声を集音するためのマイクロフォン１６、ユーザが押下することにより指示を入力するための複数の操作キー１７が設けられている。これらのマイクロフォン１６や操作キー１７は、携帯電話機１が閉じた状態のときには、上筐体１０により覆われていて外部に露出していないが、上筐体１０を下筐体１１に対してスライドさせて開いた状態に変形させたときには、外部に露出される。よって、携帯電話機１が開いた状態のときには、ユーザは操作キー１７を介して指示を入力することができるが、携帯電話機１が閉じた状態のときには、ユーザは操作キー１７を介して指示を入力することができない。
【００１６】
下筐体１１の側面には、ユーザが押下することにより指示を入力するための複数の操作キー１７ａが設けられている。これらの操作キー１７ａは、携帯電話機１が閉じた状態であっても開いた状態であっても外部に露出するように設けられている。よって、携帯電話機１が閉じた状態であっても開いた状態であっても、ユーザは操作キー１７ａを介して指示を入力することができる。
【００１７】
次に、携帯電話機１の機能について、図２に示すブロック図を用いて説明する。携帯電話機１は、図２に示すように、主制御部２０、電源回路部２１、操作入力制御部２２、表示制御部２３、記憶部２４、音声制御部２５、通信制御部２６、及び照度検出部２７がバスによって相互に通信可能に接続されて構成されている。
【００１８】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する照度センサ制御処理、その他の様々な演算処理や制御処理等を行う。電源回路部２１はバッテリ等の電源供給源を具備し、ユーザによる操作キー１７を介した入力に基づいて電源のオン／オフ状態を切り替え、電源がオン状態の場合に電力供給源から各部に対して電力を供給して、携帯電話機１を動作可能にする。
【００１９】
操作入力制御部２２はタッチスクリーン１２、操作キー１７、１７ａに対する入力インタフェースを備え、タッチスクリーン１２の接触、操作キー１７、１７ａの押下等の操作を検出すると、それらの操作を示す信号を生成して、この信号を主制御部２０に伝送する。
【００２０】
表示制御部２３はタッチスクリーン１２、ＬＥＤ１４に対する表示インタフェースを備え、主制御部２０の制御に基づいて、文書や画像等からなる画面をタッチスクリーン１２に表示したり、ＬＥＤ１４のＯＮ／ＯＦＦ状態（点灯状態）を制御したりする。また表示制御部２３は、主制御部２０の指示に基づいて、タッチスクリーン１２の輝度（またはタッチスクリーン１２に備えられたバックライトの輝度）を調整する。さらに表示制御部２３は、主制御部２０の制御に基づいて、ＬＥＤ１４のＯＮ／ＯＦＦ状態を示す信号を生成して、主制御部２０に送信する。
【００２１】
記憶部２４は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述する照度センサ制御処理を行う際の処理プログラムは、例えばＲＯＭに記憶されているものとする。また、記憶部２４は、タッチスクリーン１２の輝度（またはバックライトの輝度）の基準値を記憶している。
【００２２】
音声制御部２５は、主制御部２０の制御に基づいて、マイクロフォン１６で集音された音声からアナログ音声信号を生成し、このアナログ音声信号をデジタル音声信号に変換する。また音声制御部２５は、デジタル音声信号を取得すると、主制御部２０の制御に基づいて、このデジタル音声信号をアナログ音声信号に変換し、スピーカ１３から音声として出力する。
【００２３】
通信制御部２６は、主制御部２０の制御に基づいて、基地局（図示せず）からアンテナ２６ａを介して受信した受信信号をスペクトラム逆拡散処理してデータを復元する。このデータは、主制御部２０の指示により、音声制御部２５に伝送されてスピーカ１３から出力されたり、表示制御部２３に伝送されてタッチスクリーン１２に表示されたり、または記憶部２４に記録されたりする。また通信制御部２６は、主制御部２０の制御に基づいて、マイクロフォン１６で集音された音声データやタッチスクリーン１２や操作キー１７、１７ａ等を介して入力されたデータや記憶部２４に記憶されたデータを取得すると、これらのデータに対してスペクトラム拡散処理を行い、基地局に対してアンテナ２６ａを介して送信する。
【００２４】
照度検出部２７は、照度センサ１５に対するインタフェースを備え、照度センサ１５により検知された照度を取得すると、この照度を示す信号を生成して主制御部２０に伝送する。
【００２５】
携帯電話機１は、照度センサ１５により検出された周囲の照度に基づいてタッチスクリーン１２の輝度を適正な値に調整する機能を備えている。しかしながら、ＬＥＤ１４と照度センサ１５とが近接して設けられている場合には、照度センサ１５がＬＥＤ１４の光を検知してしまい、適切にタッチスクリーン１２の輝度が制御されない可能性がある。そこで、携帯電話機１は、ＬＥＤ１４が点灯していない状態（ＯＦＦ状態）の時にのみ照度を測定するように照度センサ１５を制御する照度センサ制御機能を備えている。これにより携帯電話機１は、周囲の明るさを照度センサ１５で測定して、タッチスクリーン１２の輝度が必要最低限になるように制御することができる。
【００２６】
図３は、ＬＥＤ１４のＯＮ／ＯＦＦ状態と照度センサ１５のＯＮ／ＯＦＦ状態との関係を示す図である。図３に示すように、携帯電話機１は、ＬＥＤ１４のＯＮ／ＯＦＦ状態に基づいて周囲の照度を周期的に測定して、その時の照度の値から適切なタッチスクリーン１２の輝度を算出し、タッチスクリーン１２の輝度を更新する。
【００２７】
携帯電話機１は、ＬＥＤ１４のＯＮ／ＯＦＦ状態を確認して、ＬＥＤ１４がＯＦＦ状態であった場合に照度センサ１５を用いて照度測定を行うものとする。すなわち携帯電話機１は、ＬＥＤ１４がＯＮ状態（ＬＥＤ１４が点灯している状態）の時には照度測定を行わず、ＬＥＤ１４がＯＦＦ状態（ＬＥＤ１４が消灯している状態）の時にのみ照度測定を行うことで、照度センサ１５がＬＥＤ１４の光を検知してしまうことを回避している。
【００２８】
このように携帯電話機１は、ＬＥＤ１４のＯＮ／ＯＦＦ状態に基づいて、照度センサ１５による照度測定を制御する照度センサ制御処理を行う。携帯電話機１がこの照度センサ制御処理を行う際の手順について、図４及び図６に示すフローチャートに基づいて説明する。なお、ＬＥＤ１４は始めにＯＮ状態に設定されていて、ＬＥＤ１４が点灯しているものとする。以下、例えば「ステップＳ１０１」を「Ｓ１０１」のように、「ステップ」の語句を省略して説明する。
【００２９】
まず主制御部２０は、ＬＥＤ１４のＯＮ状態が長時間継続しているか否かを判断する（Ｓ１０１）。この際、主制御部２０は、ＬＥＤ１４のＯＮ状態が所定時間（例えば１秒）以上継続していた場合に、ＬＥＤ１４のＯＮ状態が長時間継続しているものと判断する。例えば、長時間継続している場合とは、携帯電話機１が充電中である場合が挙げられる。また、ＬＥＤ１４のＯＮ状態が長時間継続していない場合とは、ＬＥＤ１４が点滅している場合などを想定していて、例えば、不在着信通知のために点滅している場合が挙げられる。
【００３０】
ＬＥＤ１４のＯＮ状態が長時間継続していなかった場合、すなわちＬＥＤ１４が点滅している場合（Ｓ１０１のＮＯ）は、主制御部２０は、ＬＥＤ１４がＯＮ状態からＯＦＦ状態に遷移したか否かを判断する（Ｓ１０３）。この際、主制御部２０は、表示制御部２３からＬＥＤ１４のＯＮ／ＯＦＦ状態を示す信号を受信して、この信号に基づいて、ＬＥＤ１４がＯＮ状態からＯＦＦ状態に遷移したか否かを判断する。ＬＥＤ１４がＯＦＦ状態に遷移していない場合（Ｓ１０３のＮＯ）は、ステップＳ１０１に戻って、主制御部２０はＬＥＤ１４が長時間ＯＮ状態になっているか否かを判断する。
【００３１】
ＬＥＤ１４がＯＮ状態からＯＦＦ状態に遷移した場合（Ｓ１０３のＹＥＳ）は、主制御部２０は、周囲の照度に合わせてリアルタイムにタッチスクリーン１２の輝度を調整するために、照度センサ１５により周囲の照度を測定する（Ｓ１０５）。また主制御部２０は、ステップＳ１０５にて測定された照度に基づいて、タッチスクリーン１２の輝度を調節する（Ｓ１０７）。
【００３２】
主制御部２０は、ステップＳ１０１にてＬＥＤ１４がＯＦＦ状態に移行した後に、ＬＥＤ１４が再びＯＮ状態に移行したか否かを判断する（Ｓ１０９）。この際、主制御部２０は、表示制御部２３からＬＥＤ１４のＯＮ／ＯＦＦ状態を示す信号を受信して、この信号に基づいて、ＬＥＤ１４がＯＮ状態からＯＦＦ状態に遷移したか否かを判断する。
【００３３】
ＬＥＤ１４がＯＮ状態に移行していない場合（Ｓ１０９のＮＯ）は、ステップＳ１０５に戻って、主制御部２０は、ステップＳ１０５乃至Ｓ１０９の処理を行う。ＬＥＤ１４がＯＮ状態に移行した場合（Ｓ１０９のＹＥＳ）は、主制御部２０は、ステップＳ１０１に戻って、再びＬＥＤ１４がＯＦＦ状態に遷移するまで待機する。
【００３４】
図５に、ＬＥＤ１４が点滅している場合のＬＥＤ１４のＯＮ／ＯＦＦ状態とタッチスクリーン１２の輝度との関係を表す図を示す。この場合、ＬＥＤ１４のＯＮ状態が短時間であるため、照度測定が停止されている時間も短時間となり、照度測定が停止されている間の照度の変化に応じた輝度制御を実施する必要がない。また、タッチスクリーン１２の輝度制御を短時間の照度変更に従って実施すると、タッチスクリーン１２の画面がちらついたように見えてしまい、ユーザビリティを損なう恐れもある。
【００３５】
そこで、ＬＥＤ１４のＯＮ状態が所定時間以上継続していない場合には、図５に示すように、ＬＥＤ１４がＯＦＦ状態のときに、周囲の照度に基づいてタッチスクリーン１２の輝度を調整し、ＬＥＤがＯＮ状態に移行したときには、その直前に照度測定により設定したタッチスクリーン１２の輝度で固定する。
【００３６】
一方で、ＬＥＤ１４のＯＮ状態が長時間継続している場合（Ｓ１０１のＹＥＳ）は、主制御部２０は、タッチスクリーン１２の輝度の基準値を記憶部２４から取得する（Ｓ２０１）。主制御部２０は、ステップＳ２０１にて取得した基準値に基づいて、タッチスクリーン１２の輝度の調整量を算出する（Ｓ２０３）。
【００３７】
図７に、ＬＥＤ１４が長時間点灯していた場合のＬＥＤ１４のＯＮ／ＯＦＦ状態とタッチスクリーン１２との関係を表す図を示す。このような場合にＬＥＤ１４の点滅時と同様に制御した場合、ＬＥＤ１４がＯＦＦ状態の時に最後に設定されたタッチスクリーン１２の輝度が不適切な値（明るすぎる／暗すぎるなど）であった場合には、ＬＥＤ１４のＯＮ状態の間、その不適切な輝度で固定されてしまうという問題が発生する。
【００３８】
その問題を解決するため、図７に示すように、ＬＥＤ１４のＯＮ状態が所定時間以上継続した場合には、タッチスクリーン１２の輝度をθ（ステップＳ２０３にて算出された調整量）ずつ、基準値βに近づけるように制御する。θずつ段階的に基準値βにタッチスクリーン１２の輝度を近づける理由は、タッチスクリーン１２の輝度が大きく変化することによる画面のちらつきを防ぐためである。
【００３９】
タッチスクリーン１２の輝度の変化量θは、ＬＥＤ１４がＯＦＦ状態の時に最後に設定された輝度と基準値βとの差分をｎで割った値とする（ｎは任意の自然数）。ＬＥＤ１４がＯＦＦ状態の時に最後に設定された輝度をｘとすると、θは以下の（１）式のようになる。  
［数１］
θ  =  |x  −  β| ／ n     …（１）
【００４０】
ＬＥＤ１４がＯＮ状態へ遷移し、所定時間経過後のタッチスクリーン１２の輝度は以下（２）式及び（３）式に基づいて更新される。現在設定されているタッチスクリーン１２の輝度ｘ（ｎｏｗ）と基準値βの差分がθ以上ある場合は、新たに設定するタッチスクリーン１２の輝度ｘ（ｎｅｗ）は、ｘ（ｎｏｗ）からβにθだけ近づけた値となる。この処理は、タッチスクリーン１２の輝度がβになるまで繰り返すものとする。差分がθ以下の場合は、ｘ（ｎｅｗ）を基準値βにし、以降ＬＥＤ１４のＯＮ状態が継続している間はタッチスクリーン１２の輝度をβで固定する。  
［数２］
・基準値βと現在のタッチスクリーン１２の輝度ｘ（ｎｏｗ）の差分＞θの場合
x(new)  =  x(now) ±  θ    …（２）
・基準値βと現在のタッチスクリーン１２の輝度ｘ（ｎｏｗ）の差分≦θの場合
x(new)  =  β    …（３）
【００４１】
主制御部２０は、ステップＳ２０３にて算出された調整量に基づいて、タッチスクリーン１２の輝度を調整する（Ｓ２０５）。そして主制御部２０は、ステップＳ２０５にてタッチスクリーン１２の輝度を調整してから所定時間（例えば１秒）が経過したか否かを判断する（Ｓ２０７）。所定時間が経過した場合（Ｓ２０７のＹＥＳ）は、ステップＳ２０５に戻って、主制御部２０はタッチスクリーン１２の輝度を調整する。
【００４２】
所定時間が経過していない場合（Ｓ２０７のＮＯ）は、主制御部２０は、タッチスクリーン１２の輝度がステップＳ２０１にて取得した基準値に近付いたか否かを判断する（Ｓ２０９）。この際、主制御部２０は、例えばタッチスクリーン１２の実際の輝度と基準値との差がステップＳ２０３にて算出された調整量以内であった場合に、タッチスクリーン１２の輝度が基準値に近付いたものと判断する。
【００４３】
タッチスクリーン１２の輝度が基準値に近付いていない場合（Ｓ２０９のＮＯ）は、ステップＳ２０７に戻って、主制御部２０は所定時間が経過したか否かを判断する。タッチスクリーン１２の輝度が基準値に近付いた場合（Ｓ２０９のＹＥＳ）は、ステップＳ１０１に戻って、主制御部２０はＬＥＤ１４がＯＦＦ状態に遷移するまで待機する。なお、ＬＥＤ１４がＯＦＦ状態に遷移する（Ｓ１０３にてＹＥＳに進む）まで、ステップＳ１０１ではＮＯに進むものとする。
【００４４】
このようにして携帯電話機１は、ＬＥＤ１４がＯＦＦ状態のときにのみ照度を測定するとともに、ＬＥＤ１４がＯＮ状態からＯＦＦ状態に遷移したときに、ＬＥＤ１４が点滅状態であった場合には、周囲の照度に基づいてタッチスクリーン１２の輝度を調整し、ＬＥＤ１４が長時間点灯していた場合には、予め設定されている基準値に基づいて段階的にタッチスクリーン１２の輝度を調整する。これにより携帯電話機１は、タッチスクリーン１２に対して、あらゆる状況で最適な輝度を設定することができる。
【００４５】
第１実施形態によると、ＬＥＤ１４のＯＮ／ＯＦＦ状態に基づいてタッチスクリーン１２の輝度を調整することにより、ＬＥＤ１４と照度センサ１５とが近接して設けられていても、照度センサ１５がＬＥＤ１４の光を検知してしまうことを回避し、周囲の照度に基づいてタッチスクリーン１２の輝度を適切に制御することが可能となる。
【００４６】
〔第２実施形態〕
本発明に係る電子機器の第２実施形態について、図８及び図９を参照しながら説明する。以下、第１実施形態と同一の構成には同一の符号を付し、重複する説明を省略する。第２実施形態の電子機器は、図１及び図２に示すように、第１実施形態の携帯電話機１と同一の構成を備えている。また第２実施形態の電子機器は、第１実施形態の携帯電話機１と同様に、図３に示すように、主制御部２０、電源回路部２１、操作入力制御部２２、表示制御部２３、記憶部２４、音声制御部２５、通信制御部２６、及び照度検出部２７がバスによって相互に通信可能に接続されて構成されている。
【００４７】
第１実施形態の携帯電話機１は、ＬＥＤ１４がＯＮ状態である間、周囲の照度を考慮しないタッチスクリーン１２の輝度の制御を行っているため、ＬＥＤのＯＮ状態が長時間継続している場合には、ＬＥＤ１４がＯＮ状態である間に周囲の照度が大きく変化してしまう可能性がある。その場合には、設定されているタッチスクリーン１２の輝度と実際の周囲の照度に最適なタッチスクリーン１２の輝度との差が大きくなり、ＬＥＤ１４がＯＮ状態からＯＦＦ状態に遷移したときのタッチスクリーン１２の輝度の変化が大きくなり、ユーザにとって画面がちらついて見えてしまう恐れがある。
【００４８】
この問題を解決するために、ＬＥＤ１４がＯＮ状態からＯＦＦ状態に遷移したときに、ＯＮ状態で設定していたタッチスクリーン１２の輝度と、ＯＦＦ状態に遷移して照度測定により算出されたタッチスクリーン１２の輝度との差分が大きい場合には、タッチスクリーン１２の輝度を照度測定により算出されたタッチスクリーン１２の輝度に近づけるように段階的に変化させることにより、タッチスクリーン１２の画面のちらつきを軽減させたものである。
【００４９】
携帯電話機１が、ＬＥＤ１４のＯＮ／ＯＦＦ状態に基づいて、照度センサ１５のＯＮ／ＯＦＦ状態を制御する照度センサ制御処理を行う際の手順について、図８に示すフローチャートに基づいて説明する。なお、第２実施形態では、ステップＳ１０１乃至Ｓ１０９の処理を第１実施形態と同様に行い、ステップＳ１０１にてＹＥＳに進んだ場合の処理が第１実施形態とは異なるものとする。
【００５０】
ステップＳ１０３にてＬＥＤ１４のＯＮ状態が長時間継続した場合（Ｓ１０１のＹＥＳ）に、ＬＥＤ１４がＯＮ状態からＯＦＦ状態に遷移したときに、後述するステップＳ３０１乃至Ｓ３１５の処理を行う。まず主制御部２０は、照度センサ１５により周囲の照度を測定する（Ｓ３０１）。そして主制御部２０は、ステップＳ３０１にて測定した照度に基づいて、タッチスクリーン１２の輝度の調整量を算出する（Ｓ３０３）。
【００５１】
この調整量Δは、タッチスクリーン１２の輝度を段階的に変化させるときの１回の変化量である。Δの値は、（４）式に示すように、ＬＥＤ１４がＯＮ状態のときに設定されていたタッチスクリーン１２の輝度ｙとステップＳ３０１にてＬＥＤ１４がＯＦＦ状態に遷移した直後に照度測定により算出されたタッチスクリーン１２の輝度ｚとの差分をｐで割った値とする。なお、ｐは任意の自然数である。  
［数３］
Δ =  |ｚ−ｙ|／ｐ    …（４）
【００５２】
主制御部２０は、ステップＳ３０３にて算出された調整量に基づいて、タッチスクリーン１２の輝度がステップＳ３０１にて測定した照度に対して最適な値に近付くように、タッチスクリーン１２の輝度を調整する（Ｓ３０５）。
【００５３】
すなわち、下記の（５）式及び（６）式のように、ＬＥＤ１４がＯＦＦ状態に遷移した直後に設定されているタッチスクリーン１２の輝度ｘ（ｎｏｗ）とステップＳ３０１にて測定された照度により算出されたタッチスクリーン１２の輝度ｘ（ｌｅｄ）との差分がΔ以上ある場合、新たに設定するタッチスクリーン１２の輝度ｘ（ｎｅｗ）は、設定されているタッチスクリーン１２の輝度ｘ（ｎｏｗ）からΔだけ、測定された照度により算出されたタッチスクリーン１２の輝度ｘ（ｌｅｄ）に近づけた値となる。  
［数４］
・照度測定により求めたタッチスクリーン１２の輝度ｘ（ｌｅｄ）と現在のタッチスクリーン１２の輝度ｘ（ｎｏｗ）との差分＞Δの場合
x(new)  =  x(led) ± Δ    …（５）
・照度測定により求めたタッチスクリーン１２の輝度ｘ（ｌｅｄ）と現在のタッチスクリーン１２の輝度ｘ（ｎｏｗ）の差分≦Δの場合
x(new)  =  x(led)    …（６）
【００５４】
ステップＳ３０３にて算出された調整量に基づいたタッチスクリーン１２の輝度の調整は、タッチスクリーン１２に設定されている輝度と基準値との差分がΔ以下になるまで行われる。この差分がΔ以下の場合は、ｘ（ｎｅｗ）はｘ（ｌｅｄ）となり、以後タッチスクリーン１２の輝度の調整は照度測定から算出されたタッチスクリーン１２の輝度ｘ（ｌｅｄ）に基づいて制御される。
【００５５】
主制御部２０は、ステップＳ３０５にてタッチスクリーン１２の輝度を調整してから所定時間（例えば１秒）が経過したか否かを判断する（Ｓ３０７）。所定時間が経過した場合（Ｓ３０７のＹＥＳ）は、ステップＳ３０５に戻って、主制御部２０はステップＳ３０５乃至Ｓ３０７の処理を行う。
【００５６】
所定時間が経過していない場合（Ｓ３０７のＮＯ）は、主制御部２０は、ステップＳ３０５にて調整されたタッチスクリーン１２の輝度がステップＳ３０１にて取得した照度に基づいた基準値に近付いたか否かを判断する（Ｓ３０９）。この際、主制御部２０は、例えばタッチスクリーン１２の実際の輝度と基準値との差がステップＳ３０３にて算出された調整量以内であった場合に、タッチスクリーン１２の輝度が基準値に近付いたものと判断する。タッチスクリーン１２の輝度が基準値に近付いていない場合（Ｓ３０９のＮＯ）は、ステップＳ３０７に戻って、主制御部２０は再び所定時間が経過したか否かを判断する。
【００５７】
タッチスクリーン１２の輝度が基準値に近付いた場合（Ｓ３０９のＹＥＳ）は、主制御部２０は、周囲の照度に合わせてリアルタイムにタッチスクリーン１２の輝度を調整するために、照度センサ１５により周囲の照度を測定する（Ｓ３１１）。また主制御部２０は、ステップＳ３１１にて測定された照度に基づいて、タッチスクリーン１２の輝度を調整する（Ｓ３１３）。
【００５８】
主制御部２０は、ステップＳ１０１にてＬＥＤ１４がＯＦＦ状態に移行した後に、ＬＥＤ１４が再びＯＮ状態に移行したか否かを判断する（Ｓ３１５）。この際、主制御部２０は、表示制御部２３からＬＥＤ１４のＯＮ／ＯＦＦ状態を示す信号を受信して、この信号に基づいて、ＬＥＤ１４がＯＮ状態からＯＦＦ状態に遷移したか否かを判断する。
【００５９】
ＬＥＤ１４がＯＮ状態に移行していない場合（Ｓ３１５のＮＯ）は、ステップＳ３１１に戻って、主制御部２０は、ステップＳ３１１乃至Ｓ３１５の処理を行う。ＬＥＤ１４がＯＮ状態に移行した場合（Ｓ３１５のＹＥＳ）は、主制御部２０は、ステップＳ１０１に戻って、再びＬＥＤ１４がＯＦＦ状態に遷移するまで待機する。
【００６０】
このようにして携帯電話機１は、ＬＥＤ１４がＯＦＦ状態のときにのみ照度を測定するとともに、ＬＥＤ１４がＯＮ状態からＯＦＦ状態に遷移したときに、ＬＥＤ１４が点滅状態であった場合には、周囲の照度に基づいてタッチスクリーン１２の輝度を調整し、ＬＥＤ１４が長時間点灯していた場合には、ＯＦＦ状態に遷移した直後の周囲の照度に基づいて段階的にタッチスクリーン１２の輝度を調整する。これにより携帯電話機１は、タッチスクリーン１２に対して、あらゆる状況で最適な輝度を設定することができる。
【００６１】
第２実施形態によると、ＬＥＤ１４のＯＮ／ＯＦＦ状態及び周囲の照度に基づいてタッチスクリーン１２の輝度を調整することにより、ＬＥＤ１４と照度センサ１５とが近接して設けられていても、照度センサ１５がＬＥＤ１４の光を検知してしまうことを回避し、周囲の照度に基づいてタッチスクリーン１２の輝度を適切に制御することが可能となる。
【００６２】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）等、ディスプレイやＬＥＤ、照度センサを備えている電子機器であれば、任意の電子機器であっても良い。
【符号の説明】
【００６３】
１…携帯電話機，１０…上筐体，１１…下筐体，１２…タッチスクリーン，１３…スピーカ，１４…ＬＥＤ、１５…照度センサ，１６…マイクロフォン，１７…操作キー，１７ａ…サイドキー，２０…主制御部，２１…電源回路部，２２…操作入力制御部，２３…表示制御部，２４…記憶部，２５…音声制御部，２６…通信制御部，２６ａ…アンテナ，２７…照度検出部。
【図１】
2010166260.tif 000003
【図２】
2010166260.tif 000004
【図３】
2010166260.tif 000005
【図４】
2010166260.tif 000006
【図５】
2010166260.tif 000007
【図６】
2010166260.tif 000008
【図７】
2010166260.tif 000009
【図８】
2010166260.tif 000010
【図９】
2010166260.tif 000011